(57)【要約】【課題】スピーカに電力を供給する作業の煩わしさを解消してスピーカの設置空間のレイアウトを自由に変更できるスピーカシステムを提供すること。【解決手段】スピーカシステム１は、所定方向に沿って延設されるコンセントレール２が設けられるとともに、コンセントレール２に着脱自在に取り付けられる取付部４とスピーカ部材を内蔵した本体部６とを有するスピーカ３が設けられており、スピーカ３は取付部４を介してコンセントレール２の長手方向の任意の位置に配置されるとともに、スピーカ３は取付部４を介してコンセントレール２に電気的に接続されており、コンセントレール２を介してスピーカ３に電力が供給されるようになっている。【選択図】図１
2010263351.tif 000002
【特許請求の範囲】
【請求項１】
所定方向に沿って延設されるコンセントレールが設けられるとともに、該コンセントレールに着脱自在に取り付けられる取付部とスピーカ部材を内蔵した本体部とを有するスピーカが設けられており、該スピーカは前記取付部を介して前記コンセントレールの長手方向の任意の位置に配置されるとともに、該スピーカは前記取付部を介して前記コンセントレールに電気的に接続されており、該コンセントレールを介して前記スピーカに電力が供給されるようになっていることを特徴とするスピーカシステム。
【請求項２】
前記取付部は、前記コンセントレールに取り付けられるレール支持体と、該レール支持体に対して回動される回動軸部と、を有しており、前記レール支持体は、その少なくとも一部が前記コンセントレール内に挿設されて、所定角度回動されることで取り付けられることを特徴とする請求項１に記載のスピーカシステム。
【請求項３】
前記スピーカは、前記コンセントレールのみに電気的に接続された状態となっており、この状態を維持したまま前記スピーカに音情報を伝達する音情報伝達手段が設けられていることを特徴とする請求項１または２に記載のスピーカシステム。
【請求項４】
前記音情報伝達手段は、前記コンセントレール内の電力線を介して音情報を伝達する電力線搬送通信手段となっていることを特徴とする請求項３に記載のスピーカシステム。
【請求項５】
前記音情報伝達手段は、電磁波を介して音情報を伝達するワイヤレス通信手段となっていることを特徴とする請求項３に記載のスピーカシステム。
【発明の詳細な説明】
【技術分野】
【０００１】
本発明は、スピーカシステムに関する。
【背景技術】
【０００２】
従来のスピーカシステムは、部屋の壁面と天井面とのコーナ部に沿って取り付けられたレールと、このレールに移動可能に取り付けられる取付部と、取付部に載置されるスピーカと、を備えており、スピーカの設置空間のレイアウトを自由に変更できるようになっている（例えば、特許文献１参照）。
【先行技術文献】
【特許文献】
【０００３】
【特許文献１】特開平９−１９３４８号公報（第４頁、第９図）
【発明の概要】
【発明が解決しようとする課題】
【０００４】
特許文献１に記載のスピーカシステムにあっては、取付部を移動してスピーカを任意の位置に配置した後に、スピーカに設けられた配線を電源に接続することでスピーカに電力を供給する作業を行わなければならなく、この作業が煩わしいという問題がある。
【０００５】
本発明は、このような問題点に着目してなされたもので、スピーカに電力を供給する作業の煩わしさを解消してスピーカの設置空間のレイアウトを自由に変更できるスピーカシステムを提供することを目的とする。
【課題を解決するための手段】
【０００６】
前記課題を解決するために、本発明のスピーカシステムは、
所定方向に沿って延設されるコンセントレールが設けられるとともに、該コンセントレールに着脱自在に取り付けられる取付部とスピーカ部材を内蔵した本体部とを有するスピーカが設けられており、該スピーカは前記取付部を介して前記コンセントレールの長手方向の任意の位置に配置されるとともに、該スピーカは前記取付部を介して前記コンセントレールに電気的に接続されており、該コンセントレールを介して前記スピーカに電力が供給されるようになっていることを特徴としている。
この特徴によれば、コンセントレールの長手方向の任意の位置にスピーカを取り付けて、スピーカの設置空間のレイアウトを自由に変更できるばかりか、スピーカはコンセントレールに取付部を介して電気的に接続されて電力が供給されるため、本体部に内蔵されたスピーカ部材に電力を供給するために、別途、電源ケーブル等をスピーカに対して配線する必要がなくなり、スピーカの設置作業やスピーカに電力を供給する配線作業を同時に行うことができる。
【０００７】
本発明のスピーカシステムは、
前記取付部は、前記コンセントレールに取り付けられるレール支持体と、該レール支持体に対して回動される回動軸部と、を有しており、前記レール支持体は、その少なくとも一部が前記コンセントレール内に挿設されて、所定角度回動されることで取り付けられることを特徴としている。
この特徴によれば、スピーカを設置する際に、スピーカ部材の向きを所定の方向に定めた状態にし、この状態を維持しつつレール支持体を所定角度回動させてコンセントレールに取り付けることができるようになり、スピーカ部材の向きを定める作業とスピーカの設置作業とを同時に行うことができる。
【０００８】
本発明のスピーカシステムは、
前記スピーカは、前記コンセントレールのみに電気的に接続された状態となっており、この状態を維持したまま前記スピーカに音情報を伝達する音情報伝達手段が設けられていることを特徴としている。
この特徴によれば、スピーカがコンセントレールのみに電気的に接続された状態を維持したまま音情報伝達手段によってスピーカに音情報が伝達されるため、別途、音響ケーブル等をスピーカに対して配線する必要がなくなる。
【０００９】
本発明のスピーカシステムは、
前記音情報伝達手段は、前記コンセントレール内の電力線を介して音情報を伝達する電力線搬送通信手段となっていることを特徴としている。
この特徴によれば、スピーカに電力を供給するコンセントレール内の電力線を利用して音情報伝達手段を容易に構成することができ、別途、音響ケーブル等をスピーカに対して配線する必要がなくなる。
【００１０】
本発明のスピーカシステムは、
前記音情報伝達手段は、電磁波を介して音情報を伝達するワイヤレス通信手段となっていることを特徴としている。
この特徴によれば、電磁波を利用して音情報伝達手段を容易に構成することができ、別途、音響ケーブル等をスピーカに対して配線する必要がなくなる。
【図面の簡単な説明】
【００１１】
【図１】実施例１におけるスピーカシステムを示す斜視図である。
【図２】（ａ）は、取付部の平面図であり、（ｂ）は、（ａ）のＡ−Ａ断面図である。
【図３】スピーカシステムのシステム構成を示す説明図である。
【図４】実施例２におけるスピーカシステムのシステム構成を示す説明図である。
【図５】実施例３におけるスピーカシステムのシステム構成を示す説明図である。
【発明を実施するための形態】
【００１２】
本発明に係るスピーカシステムを実施するための形態を実施例に基づいて以下に説明する。
【実施例１】
【００１３】
実施例１に係るスピーカシステムにつき、図１から図３を参照して説明する。以下、図３の紙面上下方向をスピーカの上下方向側とし、図３の左右方向をスピーカの前後方向側として説明する。先ず図１の符号１は、本発明の適用されたスピーカシステムである。このスピーカシステム１は、例えば、店舗等商業施設に配置され、ＢＧＭによる演出等に使用される。このスピーカシステム１は、主に、所定方向に沿って配設されるコンセントレール２と、コンセントレール２に取り付けられるスピーカ３と、を備えている。
【００１４】
コンセントレール２は、天井Ｓの下方に固着される取付体５に取り付けられ、図２（ｂ）に示されるように、下方に向かって開口する開口部２ｃを有している。また、コンセントレール２の上部の下面には、電力及び音情報を伝送するための電力線としての導電部２ａ，２ａがコンセントレール２の長手方向に沿って図示左右に２箇所設けられるとともに、コンセントレール２の左右両下端部には、内方に向かって延びる延出部２ｂ，２ｂが形成されている。
【００１５】
図１に示されるように、スピーカ３は、コンセントレール２において所定方向に沿って着脱自在に取り付けられる取付部４と、取付部４がコンセントレール２に取り付けられることで、コンセントレール２の導電部２ａ，２ａ（図２（ａ）参照）に電気的に接続されて音を発生可能な本体部６と、を有している。
【００１６】
取付部４は、コンセントレール２に支持されるレール支持体７と、レール支持体７に対して水平方向（図示白抜矢印方向参照）に所定角度回動可能な回動軸部８と、から成る。
【００１７】
図２（ｂ）に示されるように、レール支持体７は、内部が中空構造になっている。レール支持体７の上端部は、内部と外部の上方とに連通する開口部７ａと、レール支持体７の上端面の下方位置から図示左右に夫々延びて形成された係合部７ｂ，７ｂと、を有している。
【００１８】
開口部７ａには、端子９が取り付けられており、端子９の上端部には、図示左右方向に夫々延びる接触部９ａ，９ａが形成されている。また、端子９の下端部には、電線１０が電気的に接続されている。
【００１９】
図１に示されるように、本体部６は、内部に音声や音楽を発するための筐体１１と、筐体１１の上部に固着された回動軸取付体１２と、を有している。
【００２０】
回動軸取付体１２の上端部は、ネジ部材から成る回動部１３により、回動軸部８に対して前後方向（図示矢印参照）に枢支されている。このため、本体部６は、取付部４に対して前後方向に所定角度回動可能になっている。そして、本体部６が回動軸部８に対して所定角度の範囲内で回動した後、図示しないナットを回動部１３に締結することにより、本体部６と回動軸部８との相対角度を保持するようになっている。
【００２１】
次に、スピーカシステム１のシステム構成について説明する。図３に示されるように、スピーカシステム１は、前述のスピーカ３、取付部４、及びコンセントレール２等以外に、電力線４１を介してコンセントレール２の導電部２ａ，２ａ（図２（ａ）参照）に電力を供給する電源３１と、スピーカ３の本体部６が発生する音を示す音情報を生成する音響装置２３と、音響装置２３から送信された音情報を、電力線４２及びコンセントレール２の導電部２ａ，２ａを介して、本体部６に向けて伝送させるＰＬＣ２１（親機）と、を備えている。尚、ＰＬＣとはPower Line Communicationsの略称である。
【００２２】
音響装置２３は、電力線４３を介して電源３３に接続されており、この電源３３は、音響装置２３に電力を供給する。また、音響装置２３は、特に図示しないが、マイク、ＣＤ等の媒体を再生する再生部、及び放送局等からの放送を受信する放送受信部と、スピーカ３の本体部６が発する音を示す音情報を伝達する送信部２３ａと、を有している。
【００２３】
また、音響装置２３は、ＬＡＮケーブル３２を介してＰＬＣ２１に接続されている。そして、送信部２３ａは、マイク、再生部、及び放送受信部で生成されている音情報をパケットに変換して、このパケットをＰＬＣ２１に送信可能となっている。
【００２４】
更に、ＰＬＣ２１は、送信部２３ａから受信したパケットを、電力線４２及びコンセントレール２の導電部２ａ，２ａを介して、本体部６に向けて伝送可能な音情報としての音信号に変換可能となっている。
【００２５】
スピーカ３の筐体１１には、導電部２ａ，２ａから伝送された音信号及び電力を分配するＰＬＣ２４（子機）と、ＰＬＣ２４により送信された音信号を受信し、音信号を音情報としての音声電流に変換する制御部２５と、制御部２５が送出する音声電流を増幅するアンプ２６と、アンプ２６により増幅された音声電流を音波に変換して音を発するスピーカ部材２７と、が内蔵されている。
【００２６】
ＰＬＣ２４は、特に図示しないが、電線１０の下端部と電気的に接続されている。また、取付部４をコンセントレール２に取り付けることで、接触部９ａ，９ａが導電部２ａ，２ａと接触するため、導電部２ａを伝送する電力や音信号が、端子９及び電線１０を介してＰＬＣ２４に伝送されるようになっている（図２（ｂ）参照）。
【００２７】
よって、制御部２５は、送信部２３ａが送信した音情報を、ＬＡＮケーブル３２、ＰＬＣ２１、電力線４２、コンセントレール２の導電部２ａ、端子９、電線１０、ＰＬＣ２４を介して受信するようになっている。尚、本実施例では、コンセントレール２が音情報伝達手段及び電力線搬送通信手段を構成している（図２（ｂ）参照）。
【００２８】
尚、ＰＬＣ２４は、図示しない導電部２ａ，２ａが伝送された電力及び音信号を分配し、この分配された電力を制御部２５とアンプ２６に供給するようになっている。
【００２９】
次に、スピーカ３をコンセントレール２に取り付ける方法について説明する。次いで、図２（ａ）に示されるように、レール支持体７の上端部をコンセントレール２の開口部２ｃに挿設し（図示一点鎖線のレール支持体７参照）、挿設後、レール支持体７をコンセントレール２に対して水平方向に略９０°回動させる（図示実線のレール支持体７参照）。
【００３０】
この回動により、コンセントレール２の延出部２ｂ，２ｂとレール支持体７の係合部７ｂ，７ｂとが係合するとともに、図２（ｂ）に示されるように、端子９の接触部９ａ，９ａがコンセントレール２の導電部２ａ，２ａと接触する。これにより、図１に示されるように、本体部６がコンセントレール２に電気的に接続されるとともに、スピーカ３は、本体部６が所定方向を向いた状態でコンセントレール２に取り付けられる。
【００３１】
また、スピーカ３の設置空間のレイアウトを変更する場合には、レール支持体７をコンセントレール２に対して略９０°回動して取外し、コンセントレール２の長手方向の任意の位置において前述したレール支持体７の取り付けを行うことで、スピーカ３をコンセントレール２に取り付ける。
【００３２】
以上に説明したように、本実施例のスピーカシステム１では、所定方向に沿って延設されるコンセントレール２が設けられるとともに、このコンセントレール２に着脱自在に取り付けられる取付部４とスピーカ部材２７を内蔵した本体部６とを有するスピーカ３が設けられており、このスピーカ３は取付部４を介してコンセントレール２の長手方向の任意の位置に配置されるとともに、このスピーカ３は取付部４を介してコンセントレール２に電気的に接続されており、このコンセントレール２を介してスピーカ３に電力が供給されるようになっていることで、コンセントレール２の長手方向の任意の位置にスピーカ３を取り付けて、スピーカ３の設置空間のレイアウトを自由に変更できるばかりか、スピーカ３はコンセントレール２に取付部４を介して電気的に接続されて電力が供給されるため、本体部６に内蔵されたスピーカ部材２７に電力を供給するために、別途、電源ケーブル等をスピーカ３に対して配線する必要がなくなり、スピーカ３の設置作業やスピーカ３に電力を供給する配線作業を同時に行うことができる。
【００３３】
また、取付部４は、コンセントレール２に取り付けられるレール支持体７と、このレール支持体７に対して回動される回動軸部８と、を有しており、レール支持体７は、その少なくとも一部がコンセントレール２内に挿設されて、所定角度回動されることで取り付けられることで、スピーカ３を設置する際に、スピーカ部材２７の向きを所定の方向に定めた状態にし、この状態を維持しつつレール支持体７を所定角度回動させてコンセントレール２に取り付けることができるようになり、スピーカ部材２７の向きを定める作業とスピーカ３の設置作業とを同時に行うことができる。
【００３４】
尚、スピーカ３のような音響機器では、照明機器等と異なり、予めスピーカ部材２７の向きを所定方向に定めれば、設置後に微調整を行うことがあまりなく、本実施例のようにスピーカ部材２７の向きを定める作業とスピーカ３の設置作業とを同時に行うことで、スピーカ３の設置作業が簡素化される。
【００３５】
また、スピーカ３は、コンセントレール２のみに電気的に接続された状態となっており、この状態を維持したままスピーカ３に音情報を伝達する音情報伝達手段としてのコンセントレール２が設けられていることで、スピーカ３がコンセントレール２のみに電気的に接続された状態を維持したまま送信部２３ａによってスピーカ３に音情報が伝達されるため、別途、音響ケーブル等をスピーカ３に対して配線する必要がなくなる。
【００３６】
また、音情報伝達手段は、コンセントレール２内の導電部２ａ，２ａを介して音情報を伝達する電力線搬送通信手段となっていることで、スピーカ３に電力を供給するコンセントレール２内の導電部２ａ，２ａを利用して音情報伝達手段を容易に構成することができ、別途、音響ケーブル等をスピーカ３に対して配線する必要がなくなる。
【実施例２】
【００３７】
次に、実施例２に係るスピーカシステムにつき、図４を参照して説明する。尚、前記実施例１に示される構成部分と同一構成部分に付いては同一符号を付して重複する説明を省略する。
【００３８】
図４に示されるように、実施例２のスピーカシステム５１は、コンセントレール２に着脱自在に取り付けられる取付部材５７ａと、取付部材５７ａに接続される接続部材５７ｂと、接続部材５７ｂに対して上下方向に移動自在に嵌挿される移動部材５７ｃと、から成る吊持部材５７を備えている。
【００３９】
尚、取付部材５７ａの上端部には、特に図示しないが、レール支持体７の係合部７ｂ，７ｂと同様の係合部が形成されており、取付部材５７ａの上端部をコンセントレール２の開口部２ｃに挿設して回動することで、吊持部材５７がコンセントレール２に取り付けられる。
【００４０】
スピーカ５３の本体部５６には、移動部材５７ｃの下端部に形成される係止部５７ｄと係合可能な被係止部５６ａが固着されている。また、移動部材５７ｃは、接続部材５７ｂに対して図示しない固定部材により固定可能になっている。このため、移動部材５７ｃの係止部５７ｄを被係止部５６ａに係合させることができるので、本体部６と取付部４との相対角度を保持することができる。
【００４１】
次に、スピーカシステム５１のシステム構成について説明すると、音響装置６３は、音情報を電磁波等として送信する送信部６３ａを有している。また、音響装置６３は、電力線４２を介して電源３３に接続されている。
【００４２】
筐体６１には、送信部６３ａから送信された音情報を受信する制御部６５が内蔵されている。すなわち、制御部６５は、電磁波等を用いるワイヤレス通信（ワイヤレス通信手段）にて送信部６３ａにより送信された音情報を受信する。この制御部６５は、送信部６３ａから送信された音情報を音声電流に変換して、この音声電流をアンプ２６に伝送する。つまり、図示しないコンセントレール２の導電部は、電力のみが伝送される。
【００４３】
このように、送信部６３ａは、ワイヤレス通信にて制御部６５に音情報を送信することができるので、音響装置６３は、送信部６３ａが制御部６５に音情報を送信可能な範囲内であれば、設置箇所を自由に選択することができる。
【００４４】
また、音情報伝達手段は、電磁波を介して音情報を伝達するワイヤレス通信手段となっていることで、電磁波を利用して音情報伝達手段を容易に構成することができ、別途、音響ケーブル等をスピーカに対して配線する必要がなくなる。
【実施例３】
【００４５】
次に、実施例３に係るスピーカシステムにつき、図５を参照して説明する。尚、前記実施例１，２に示される構成部分と同一構成部分に付いては同一符号を付して重複する説明を省略する。
【００４６】
図５に示されるように、実施例３のスピーカシステム７１において、筐体８１には、スピーカ部材８７のみが内蔵されている。音響装置６３は、電力線８５を介して電源８４に接続されている。この音響装置６３は、前述のマイク、再生部、及び放送受信部で生成されている音情報を受信し、受信した音情報を音声電流に変換して送信する制御部８３ａと、音声電流を増幅するアンプ８３ｂと、を備えている。
【００４７】
制御部８３ａは、アンプ８３ｂにより増幅された音声電流を、電力線８６、図示しないコンセントレール７２の導電部、及び図示しない電線１０を介して、スピーカ部材８７に伝達するようになっている。
【００４８】
このように、コンセントレール７２の導電部には、音声電流のみが伝送され、かつ筐体８１が内蔵する構成が、スピーカ部材８７のみであるため、本体部のシステム構成を簡素化することができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、本体部６が取付部４に対して前後方向に所定角度回動可能なスピーカ３を適用しているが、これに限らず、例えば、本体部を取付部４に対して左右方向に所定角度回動可能なスピーカを適用してもよい。
【００５１】
また、前記実施例２では、送信部６３ａから制御部６５に電磁波を用いたワイヤレス通信にて音情報を送信していたが、ワイヤレス通信の通信方法は、電磁波に限らず、赤外線通信や光通信であってもよい。
【符号の説明】
【００５２】
１                スピーカシステム
２                コンセントレール（音情報伝達手段，電力線搬送通信手段）
２ａ              導電部（電力線）
３                スピーカ
４                取付部
６                本体部
７                レール支持体
８                回動軸部
２７              スピーカ部材
５１              スピーカシステム
５３              スピーカ
６３ａ            送信部（音情報伝達手段）
７１              スピーカシステム
７２              コンセントレール（音情報伝達手段，電力線搬送通信手段）
７３              スピーカ
８３ａ            制御部（音情報伝達手段）
８７              スピーカ部材
【図１】
2010263351.tif 000003
【図２】
2010263351.tif 000004
【図３】
2010263351.tif 000005
【図４】
2010263351.tif 000006
【図５】
2010263351.tif 000007